(57)【特許請求の範囲】
【請求項１】
同一形状であって畳んで重ねた状態の複数の袋と、これら各袋の上部に形成される開口部の縁部の内面に、縁辺にまたがって、粘着面を外向きにして貼られた粘着テープと、を有し、前記粘着面のうち前記縁辺より下側は前記袋の内面に粘着し、前記縁辺より上側は他の前記粘着テープの背面に剥離可能に粘着していることにより、前記袋を設置したい場所に、前記粘着テープを粘着することで、前記袋の前記開口部を、前記縁辺を押さえ込んだ状態で大きく開き使用できることを特徴とする袋群。
【請求項２】
前記袋は透明な袋であり、前記粘着テープは略四角形で、少なくとも縁辺より上側の角部は丸く形成されていることを特徴とする請求項１に記載の袋群。
【発明の詳細な説明】
【技術分野】
【０００１】
この発明は、粘着テープにより貼付けて使用する袋に関し、特に、複数の袋を重ねて扱うことが容易な袋群に関する。
【背景技術】
【０００２】
袋の口を開けたまま袋を使用する状況は、日常生活や産業活動の各場面に、存在する。例えば、病院で看護師が医療機器を載せて押して使用するカートに、袋を口を開けた状態でセロファンテープやクリップで留め、看護作業中にでるゴミを、その袋の中に入れることは、よく見かける光景である。
また、口を開けた状態の袋を、通常はゴミ箱を置きにくい場所に、セロファンテープやクリップで留めることもある。例えば、机の上面の端部や自動車の中である。
【０００３】
なお、下記特許文献１には、相似形の複数のゴミ袋を、入れ子式に順次重ね合わせ、粘着テープで連結しておき、内側または外側の袋から順に使用できるものが、開示される。
【先行技術文献】
【特許文献】
【０００４】
【特許文献１】特開平11-011494
【発明の概要】
【発明が解決しようとする課題】
【０００５】
しかしながら、袋をセロファンテープやクリップで留めるのは面倒であり、作業効率が悪い。また、セロファンテープは斜めに貼られたり、クリップは目立ちすぎたりすることから、見た目も悪い。
なお、下記特許文献１の入れ子式のゴミ袋は、各袋を相似形にするコストが高く、また、粘着テープは、袋を設置する場所に貼付けるものではなく、袋同士を互いに連結するにすぎない。
この発明は、以上の問題点を解決するために、複数の袋を重ねて扱うことが容易で、作業効率が良く、美観にも優れた袋群を提供することを目的とする。
【課題を解決するための手段】
【０００６】
以上の課題を解決するために、第一発明は、同一形状であって畳んで重ねた状態の複数の袋と、これら各袋の上部に形成される開口部の縁部の内面に、縁辺にまたがって、粘着面を外向きにして貼られた粘着テープと、を有し、前記粘着面のうち前記縁辺より下側は前記袋の内面に粘着し、前記縁辺より上側は他の前記粘着テープの背面に剥離可能に粘着していることを特徴とする袋群である。
【０００７】
第二発明は、さらに、前記袋は透明な袋であり、前記粘着テープは略四角形で、少なくとも縁辺より上側の角部は丸く形成されていることを特徴とする袋群である。
【発明の効果】
【０００８】
第一、又は第二発明の袋群によれば、重ねた状態の複数の袋のうち、一枚の袋を切り離して使用したり、切り離さずに使用したりできる。
袋を切り離さずに使用する場合には、重ねた一番下の袋の粘着テープを、袋を設置したい場所に粘着する。この状態で、一番上の袋の開口部を大きく開き、使用できる。一番上の袋の使用が済んだ後には、この使用済みの袋を引っ張って、この袋の粘着テープの上側を、二番目の粘着テープの背面から剥離し、使用済みの袋を外す。
【０００９】
一枚の袋を切り離して使用する場合には、一番上の袋を引っ張って、この袋の粘着テープの上側を、二番目の粘着テープの背面から剥離する。この剥離した面を、再度、袋を設置したい場所に粘着する。この状態で、袋の開口部を大きく開き、使用できる。
このようにして、複数の袋は粘着テープにより一群の袋群として、重ねた状態で扱うことが容易であるのみならず、袋を設置したい場所に粘着する際に、粘着テープはあらかじめ袋に粘着しており、従来のようにセロファンテープをセロファンテープのロールからはがして袋に貼る手間が省け、作業効率が良い。さらに、粘着テープはあらかじめ袋に粘着しており、従来のようにセロファンテープが斜めに貼られたりすることもなく、美観にも優れている。
【００１０】
第二発明の袋群によれば、さらに、粘着テープの略四角形のうち、少なくとも縁辺より上側の角部は丸く形成されていることから、剥離可能でありながら、不用意に剥がれる可能性を低くできる。
【図面の簡単な説明】
【００１１】
【図１】この発明の一実施形態にかかる袋群の使用状態を示す斜視図である。
【図２】図１の使用した後の状態を示すもので、（Ａ）は一番上の袋を外して残った袋群の斜視図、（Ｂ）は外した袋の斜視図である。
【図３】図１以外の使用状態（Ａ）および使用した後の状態（Ｂ）を示す斜視図である。
【図４】図１の袋群の説明図である。
【発明を実施するための形態】
【００１２】
この発明の実施形態を、図１〜図４に示す。
図１、図４に示すように、袋１は、透明な合成樹脂製で、四角形の同一形状であって、畳んだ状態である。そして、袋１は１０枚が、部分的にはみ出すことなく整然と、重ねて配置されている。
粘着テープ３は各袋１に粘着される。粘着テープ３は、大型のテープをカットし作ったもので、上下寸法が、袋１の上下寸法の約２０％である。左右寸法が、袋１の左右寸法の約５０％である。
【００１３】
粘着テープ３は、各袋１の上部に形成される開口部５の縁部７において、内面に粘着して貼られる。
袋１は畳んだ状態なので、開口部５の縁部７は、２つの辺、すなわち両端が連続する２つの縁辺９をなす。そして図１において、２つの縁辺９のうち、袋１が重ねて配置された状態で、下側になる縁辺９にまたがって、貼られる。また、粘着面１１（図４）を袋１の外向きにして貼られる。
【００１４】
図４に示すように、袋１を立てた状態にすると、以上のことから、粘着面１１のうち縁辺９より下側１３は袋１の内面に粘着する。また、縁辺９より上側１５は他の袋１に貼られている粘着テープ３の背面１２に、剥離可能に粘着する。粘着テープ３は略四角形で、縁辺９より上側の角部１７は丸く形成されて、剥がれにくくなっている。
【００１５】
各袋１に粘着された合計１０枚の粘着テープ３は、部分的にはみ出すことなく整然と、重なって粘着している。隣り合う粘着テープ３の間に、袋１が配置され、よって、１０枚の袋群１９を構成する。
袋１を形成する材料は、透明な合成樹脂製以外に、色付きの合成樹脂製でも良く、さらには紙製でも構わない。合成樹脂製の場合には、例えば、ポリエチレン、ポリプロピレン、ポリ塩化ビニル、ポリ塩化ビニリデン、ポリビニルアルコール、ナイロン、及びポリエステルなどが採用できる。
【００１６】
粘着テープ３のテープ本体の材料は、ポリエチレン、ポリプロピレン、ポリエステルなどのプラスチックフィルム、紙、金属箔、などが使用できる。
粘着剤は、テープ本体との相性を考慮して採用され、テープ本体との再剥離性に優れるものが望ましい。例えばウレタン系粘着剤である。さらには、アクリル系粘着剤やシリコーン系粘着剤、天然ゴム系粘着剤であっても、粘着性を低めて再剥離性を有するものであれば採用できる。
【００１７】
「実施形態の作用・効果」
１）  図１に示すように、この実施形態にかかる袋群１９を、袋１を切り離さずに使用する場合には、重ねた一番下の袋１の粘着テープ３を、袋１を設置したい場所である例えば机２４に粘着する。
【００１８】
すなわち、一番下の袋１の粘着テープ３は、それより下の袋１や粘着テープ３が存在しないので、袋１の開口部５の縁辺９より上側１５が、粘着面１１として露出している。この露出した粘着面１１を、例えば、机２４の端に粘着する。
この状態で、一番上の袋１の開口部５を大きく開き、使用できる。すなわち、図１において、袋群１９の上部は畳んだ状態で横置きになっており、一番上の袋１の開口部５の２つの縁辺９のうち、上側１５の縁辺９は、自由な状態であり、引っ張ることで開口部５を大きく開くことができる。この開いて横向きになった開口部５へ、机の上で発生するゴミ２１、例えば消しゴムのかす等を投棄する。
消しゴムのかすや糸くずなど小さなゴミは、指でつまんで取りにくいが、この実施形態によれば、小さなゴミでも掌等でなぞるなどして、横向きになった開口部５へ落とし込むことが出来、便利である。
【００１９】
開口部５は、縁辺９を机２４の端の辺と平行に設置されるので、ゴミ２１を投棄しやすい。この平行にするために、袋１に、縁辺９と平行な補助線２３をあらかじめ印刷しておき、この補助線を机２４の端の辺に合わせる。粘着テープ３は１０枚が重なった状態では、それほどの厚みにはならず、ゴミ２１を投棄する際に段差となって、邪魔になることはない。
【００２０】
この一番上の袋１の中に多くのゴミ２１が投棄され、いっぱいになって使用が済んだ後には、この使用済みの袋１を引っ張る。そして、この袋１の粘着テープ３の上側１５を、二番目の粘着テープ３の背面から剥離し、この使用済みの袋１を外す（図２（Ｂ））。
図２（Ａ）に示すように、残った二番目以降の袋群１９は、始めから使用できる。すなわち、二番目の袋１が一番上の袋１となるので、この一番上の袋１の開口部５を大きく開き、始めから使用できる。
【００２１】
２）  図３に示すように、一枚の袋１を切り離して使用する場合には、一番上の袋１を引っ張って、この袋１の粘着テープ３の上側１５を、二番目の粘着テープ３の背面から剥離する（図２を参考）。この剥離した面を、再度、袋１を設置したい場所である机２４に粘着する。この状態で、空の袋１の開口部５を大きく開き、使用できる（図３（Ａ））。
【００２２】
ゴミ２１が投棄され、いっぱいになって使用が済んだ後には、この使用済みの袋１を引っ張る。そして、この袋１の粘着テープ３の上側１５を、机２４から剥離し、この使用済みの袋１を外す（図３（Ｂ））。
３）  このようにして、複数の袋１は粘着テープ３により一群の袋群１９として、バラバラにならず、重ねた状態で扱うことが容易である。
【００２３】
のみならず、袋１を設置したい場所に粘着する際に、粘着テープ３はあらかじめ袋１に粘着しており、従来のようにセロファンテープをセロファンテープのロールからはがして袋１に貼る手間が省け、作業効率が良い。
【００２４】
このとき、袋１の粘着テープ３の上側１５を、二番目の粘着テープ３の背面から剥離すると、この剥離した面は、露出した粘着面１１であるから、袋１を設置したい場所である例えば机に、そのまま、簡単に粘着することができ、作業効率が良い。
また、粘着テープ３はあらかじめ各袋１の同じ位置に、縁辺９に平行に粘着しており、従来のようにセロファンテープが斜めに貼られたりすることもなく、美観にも優れている。
【００２５】
さらに、粘着テープ３の略四角形のうち、縁辺９より上側の角部１７は丸く形成されていることから、粘着テープ３は剥離可能でありながら、不用意に剥がれたり、捲れたりしてしまう可能性を低くできる。
また、引用文献１に比べ、相似形の複数の袋１ではなく、同じ形状の、したがって通常の袋１を使用でき、コストを抑えられる。
また、袋１がゴミ２１でいっぱいになった際には、袋1の開口部５を、粘着テープ３で閉じることができ、ゴミ２１が袋１から溢れることを防止できる。
【００２６】
「他の実施形態」
以上の実施形態では、袋１は、ゴミ袋として使用するものであったが、他の実施形態では、ゴミ袋以外の、例えば、少量商品を多数の患者に分配するために用いられる袋１でもよい。
【００２７】
以上の実施形態では、四角形の粘着テープ３の縁辺９より上側の角部１７は、丸く形成されているものであったが、他の実施形態では、四角形の４つの角部すべてが、丸く形成されているものであってもよい。
以上の実施形態では、袋１を設置する場所は机であったが、他の実施形態では、いろいろな場所を選ぶことができる。例えば、病院で使用するカートの一部分でもよい。
以上の実施形態では、袋１は、透明な合成樹脂製であったが、他の実施形態では、紙製の袋１であっても構わない。
【符号の説明】
【００２８】
１…袋、３…粘着テープ、５…開口部、７…縁部、９…縁辺、１１…粘着面、１２・・背面、１３…下側、１５…上側、１７…上側の角部、１９…袋群、２１・・ゴミ、２３・・補助線、２４・・机。
【要約】
【課題】粘着テープにより貼付けて使用する袋に関し、複数の袋を重ねて扱うことが容易で、作業効率が良く、美観にも優れた袋群を提供することを目的とする。
【解決手段】同一形状であって畳んで重ねた状態の複数の各袋１の上部に形成される開口部５の縁部７の内面に、各粘着テープ３を、縁部７の縁辺９にまたがって、粘着面１１を外向きにして貼る。粘着テープ３の粘着面１１のうち前記縁辺９より下側は袋１の内面に粘着し、縁辺９より上側は他の粘着テープ３の背面１２に剥離可能に粘着している。袋１は透明な袋であり、粘着テープ３は略四角形で、少なくとも縁辺より上側の角部１７は丸く形成されている。
【選択図】図１【図１】
0005438235.tif 000002
【図２】
0005438235.tif 000003
【図３】
0005438235.tif 000004
【図４】
0005438235.tif 000005